(57)【要約】【課題】安全で、飲み疲れすることなく、こぼさずに、ペットボトルまたアルミ缶ボトル（以下「ペットボトル等」という。）の飲料を飲むことができるとともに携帯にも便利なペットボトル等用飲み口器と、該飲み口器に簡単にキャップで蓋ができ、キャップで蓋をすることによってペットボトル等の飲料が外部に漏れ出すことを防ぐとともに該飲み口器及びペットボトル等の飲料を清潔に保管できる漏水防止キャップの提供【解決手段】本発明は、ペットボトル等の飲み口に着脱自在に螺合し、口に含めてペットボトル等の飲料を飲む吸い口部を設けた飲み口器と、該飲み口器と着脱自在に螺合し、ペットボトル等の飲料を該吸い口部を貫通して外部に流出させる開口部に栓をする開口部密着部を内側に設けたキャップとで構成することを特徴とする。【選択図】図１
2009137647.tif 000002
【特許請求の範囲】
【請求項１】
ペットボトルまたアルミ缶ボトルの飲み口のねじ部の雄ねじと着脱自在に螺合できる雌ねじを内側に設けた飲み口器ねじ部と、該飲み口器ねじ部の上壁に中空に形成するとともに、ペットボトルまたアルミ缶ボトルから貫通して飲料を外部に流出させる開口部を設けた吸い口部とで構成されたペットボトルまたアルミ缶ボトル用飲み口器
【請求項２】
請求項１に記載の飲み口器を構成する吸い口部の、その全部また一部が蛇腹状であることを特徴とする飲み口器
【請求項３】
請求項１又は請求項２に記載の飲み口器を構成する飲み口器ねじ部の外側に雄ねじを設けた飲み口器と、該雄ねじと着脱自在に螺合できる雌ねじを下端内側に設け、該飲み口器ねじ部と螺合したときに飲み口器に蓋をするとともに、飲み口器を構成する吸い口部に設けられた開口部に栓をする開口部密着部をキャップの内側に設けた漏水防止キャップとで構成することを特徴とするペットボトルまたアルミ缶ボトル用飲み口器及び漏水防止キャップ
【請求項４】
請求項３に記載の飲み口器及び漏水防止キャップと、ペットボトルを一体的に形成した飲み口器及び漏水防止キャップ付きペットボトル
【発明の詳細な説明】
【技術分野】
【０００１】  本発明は、ペットボトルまたアルミ缶ボトル（この明細書において以下「ペットボトル等」という。）の飲み口に着脱自在に装着する安全性、利便性を備えた飲み口器及び該飲み口器にキャップで蓋をすることによりペットボトル等に入っている飲料が外部に漏れなくする漏水防止キャップに関するものである。
【背景技術】
【０００２】  飲み口の規格が統一されている各種容量のペットボトル等が広く提供されており、また飲料を飲みやすくするための各種ストローやペットボトル用ストロー付飲み口器も提供されている。
なお、ペットボトルはプラスチックボトルの別称がある。【０００３】
【特許文献】  特開２００１−３５４２６０（Ｐ２００１−３５４２６０Ａ）
【特許文献】  特開２００３−７２７６０（Ｐ２００３−７２７６０Ａ）
【特許文献】  特開２００５−１９３９７８（Ｐ２００５−１９３９７８Ａ）
【特許文献】  特開２００６−１２３９６０（Ｐ２００６−１２３９６０Ａ）
【特許文献】  特開２００６−２０４８４０（Ｐ２００６−２０４８４０Ａ）
【発明の開示】
【発明が解決しようとする課題】
【０００４】  ペットボトル等の飲料を直接に口から飲むことに関し、次のような問題がある。
ペットボトル等の飲み口器は規格が統一されていることから、幼児や高齢者などにとっては該飲み口の外径が大きすぎるなどで口に含むことが困難な人がいる。【０００５】  また、ペットボトル等の飲料が必要以上に多く出過ぎることがあり、飲料をこぼしたり、気管に入れてしまってむせることがある。【０００６】  一方で、従来から各種ストローが提供されているが次の問題がある。
ストローは、あやまって顔や喉などを突いて怪我をする危険性があり、また呼吸を止めて飲料を吸い上げるという動作を繰り返さなければならないので飲み疲れをすることがある。【０００７】  また、ペットボトル等には各種の容量のものがあり、その容量によってはペットボトル等の高さが違うことから、ペットボトル等の高さに応じた長さのストローを使用しなければならない。【０００８】  さらに、ストローは、肉厚を薄く、細長く作られていることから、他の荷物などで押しつぶされたり、嵩張るので携帯には不便である。【０００９】  各種ペットボトル用ストロー付飲み口器も提供されているが上記ストローに関する問題がある場合もあるとともに、飲料の流出を防ぐ密封構造が無いために携帯に不便であったり、ストローを折り曲げてキャップに収納するなどの複雑な手順が必要であったり、さらに指で触ったストローをペットボトルの中に押し込んで保管することによる衛生面での問題があった。【００１０】  本発明が解決しようとする課題は、ペットボトル等の飲料を飲むにあたって、すべてのペットボトル等に適応し、簡単な操作で、口に含みやすく、安全で、こぼさずに、むせることなく、飲み疲れすることのない飲み口器を提供することにある。【００１１】  併せて、該飲み口器をキャップで簡単に蓋をすることができ、かつ、蓋をするこをによってペットボトル等の飲料が外部に漏れ出ることを防ぎ、飲み口器及びペットボトル等の飲料を清潔に保管するとともに携帯にも便利な漏水防止キャップを提供することにある。
【課題を解決するための手段】
【００１２】  本発明において前記課題を解決することができた。
本発明に係るペットボトル・アルミ缶ボトル用飲み口器及び漏水防止キャップについて詳細を述べる。【００１３】  本発明の請求項１に記載の飲み口器は、飲み口器ねじ部と吸い口部で構成する。【００１４】  飲み口器ねじ部には、ペットボトル等の飲み口のねじ部にある雄ねじと着脱自在に螺合できる雌ねじを内側に設ける。【００１５】  吸い口部はペットボトル等の飲料を飲むときに口に含めるためのものであり、飲み口器ねじ部の上壁に、中空に形成し、また該吸い口部の先端にはペットボトル等から中空に形成した吸い口部を貫通して飲料を外部に流出させる開口部を設ける。【００１６】  本発明の請求項２は、本発明の請求項１に記載の飲み口器を構成する吸い口部に関し、長さを伸縮させ、また回動自在とするため、該吸い口部の全部また一部を蛇腹状に形成する。【００１７】  吸い口部に係る形状、上壁からの長さ、肉厚及び内径と外径の大きさ、また開口部に係る形状や大きさについては、特に限定するものではなく、利用者にとって最適なものとすればよい。【００１８】  本発明の請求項３は、本発明の請求項１又は請求項２に記載の飲み口器の飲み口器ねじ部の外側に雄ねじを設けた飲み口器と、漏水防止キャップとで構成する。【００１９】  漏水防止キャップには、上記飲み口器ねじ部の外側に設けた雄ねじと着脱自在に螺合できる雌ねじを下端の内側に設け、また、飲み口器ねじ部と螺合したときに、飲み口器に蓋をするとともに飲み口器を構成する吸い口部に設けた開口部に栓をしてペットボトル等に入っている飲料を該開口部から外部に漏れ出ないようにし、飲み口器だけではなく、ペットボトル等に入っている飲料を衛生的に保管する開口部密着部をキャップの内側に設ける。【００２０】  漏水防止キャップの大きさや肉厚、また開口部に栓をする方法は、特に限定するものではない。【００２１】  さらに、飲み口器及び漏水防止キャップを形成する材質についても、特に限定するものではなく、また絵柄や彩色を施してもよい。【００２２】  なお、本発明の請求項１及び請求項２の飲み口器は、漏水防止キャップと併用することなく、単独で使用することも可能である。【００２３】  本発明の請求項４は、請求項３記載の飲み口器、漏水防止キャップ及びペットボトルを一体的に形成する。【００２４】  上記の一体的に形成する方法としては、まずペットボトルに飲み口器ねじ部を螺合し、該飲み口器ねじ部の下端をペットボトルに溶着することにより飲み口器付きペットボトルを形成する。【００２５】  なお、このときにおいて、溶着を切り欠き状にすれば、該飲み口器をペットボトルからねじ切ることにより、ペットボトルを再資源化するなどの際の分別や、また洗浄が容易となるだけでなく、該飲み口器及びペットボトルの再利用を可能とすることができる。【００２６】  飲み口器付きペットボトルを形成した後、搬送中などにおいて飲料が漏れ出ないようにするため、該飲み口器ねじ部に漏水防止キャップを螺合して開口部に栓をし、その後に、該漏水防止キャップの下端と飲み口部のねじ部とを切り欠き状に溶着して、飲み口器付きペットボトルと漏水防止キャップを一体化させる。【００２７】  飲み口器、漏水防止キャップ及びペットボトルを一体的に形成されたペットボトルの飲料を飲むときは、溶着された漏水防止キャップの下端をねじ切って、漏水防止キャップを飲み口器から外す。
【発明の効果】
【００２８】  本発明の請求項１に記載の飲み口器を使用すれば、飲み口器をペットボトル等の飲み口に螺合するという簡単な操作をするだけで、ペットボトル等の飲料が飲みやく、こぼすことなく、むせることもなく、またストローのようにあやまって喉や顔等を突く危険性もなく、呼吸を止めて飲む必要がないので飲み疲れをするということもない。【００２９】  このことから、幼児、高齢者また障害者や病気の人にも水分補給が容易である。【００３０】  本発明の請求項１の漏水防止キャップは、上記の飲み口器に螺合するという簡単な操作をするだけで、該飲み口器を簡単に蓋をすることができ、かつ、蓋をすることによってペットボトル等の飲料を外部に漏れ出ないようにし、飲み口器だけではなく、ペットボトル等に入っている飲料を衛生的に保管することができる。【００３１】  また、携帯にも便利であることから、室内だけではなく、外出時の水分補給も容易である。【００３２】  ペットボトル等の飲み口の規格は統一されていることから他のペットボトル等に転用することができ、また何度でも使用することが可能である。【００３３】  さらに飲み口器は、直接に口から飲むだけでなく、大型のペットボトル等ではジュースやビールの注ぎ口としても利用することができ、また飲み口器を螺合したペットボトル等は砂糖や醤油などの入れ物としても活用できるので経済的である。【００３４】  前記の請求項１に記載の吸い口部の全部又は一部を蛇腹状にした請求項２に記載の飲み口器を使用した場合は、吸い口部を伸縮また回動自在とすることができるので、請求項１記載の飲み口器の効果に併せ、ペットボトル等に入った飲料を飲む際に吸い口部を好みの長さにしたり、また自由な角度をとることができる。【００３５】  このことから、ペットボトル等に入っている飲料の残量に応じて、ペットボトル等に螺合した飲み口器の吸い口部を口に含めたままで顔を持ち上げることなく、ペットボトル等の底を持ち上げることにより飲むことができ、病気等で横臥している人に対する水分補給についても、より容易となる。【００３６】  本発明の請求項３に記載の飲み口器及び漏水防止キャップ付きペットボトルを使用すると、本発明の請求項１又は請求項２の効果を併せ、改めて、飲み口器また漏水防止キャップを購入する必要がない。【００３７】  また、ペットボトルの飲料を飲み干したあとは、該飲み口器、漏水防止キャップ、ペットボトルを、それぞれに分別することができるので、それぞれ再利用また再資源化が容易である。
【発明を実施するための最良の形態】
【００３８】  本発明を実施するための最良の形態を図１及び図２を使用して説明する。
図１は、本発明である請求項３を構成する飲み口器及び漏水防止キャップであって、飲み口器に漏水防止キャップで蓋をしたときの図である。
なお、ここでの飲み口器については、請求項１記載の飲み口器の飲み口器ねじ部に雄ねじを設けたものを使用している。【００３９】  図２は、請求項３を構成する飲み口器及び漏水防止キャップのそれぞれの図である。
なお、ここでの飲み口器については、請求項１記載の飲み口器の飲み口器ねじ部に雄ねじを設けたものを使用している。
１０は飲み口器、２０は漏水防止キャップである。【００４０】  飲み口器１０に関し、１１は飲み口器ねじ部、１２は飲み口器ねじ部の上壁、１３はペットボトル等の飲み口部の雄ねじと螺合できるように飲み口器ねじ部１１の内側に設けた雌ねじ、１４は飲み口器１０に蓋をするキャップ２０を螺合するために飲み口器ねじ部１１の外側に設けた雄ねじ、１５は中空とした吸い口部、１６はペットボトル等に入っている飲料を吸い口部を貫通して外部に流出させるために吸い口部の先端に設けられた開口部である。【００４１】  吸い口部１５は、飲み口器ねじ部の上壁１２から垂直の円筒状とし、長さは２ｃｍ、外径は１．５ｃｍ、内径を１ｃｍとする【００４２】  なお、ペットボトル等に飲み口器を螺合したときにおいて、ペットボトル等の飲み口の内径の中心点と開口部１６の径の中心点を結んだ線は、飲み口器ねじ部の上壁から垂直となるように形成する。【００４３】  漏水防止キャップ２０に関し、２１は漏水防止キャップを飲み口器ねじ部の外側に設けた雄ねじに螺合するために漏水防止キャップの下端の内側に設けられた雌ねじ、２２は漏水防止キャップを飲み口器に螺合したときにおいて、吸い口部の先端に設けられた開口部１６に密着してペットボトル等に入っている飲料を該開口部から外部に漏れ出なくするために漏水防止キャップの内側に設けた開口部密着部である。【００４４】  開口部密着部２２は、漏水防止キャップの内側に半球状の突起とし、漏水防止キャップと同一の材質で、漏水防止キャップと一体的に形成する。【００４５】  なお、開口部密着部２２である半球上の突起の大きさは、ペットボトル等の飲料水が漏れ出ないように開口部に栓をするために開口部の直径より大きくし、また漏水防止キャップの内側に設ける該半球上の突起の中心点の位置は、漏水防止キャップを飲み口器に螺合したときにおいて、ペットボトル等の飲み口の内径の中心点と開口部の径の中心点を結んだ線の延長線上とする。【００４６】  次に、実施例２である請求項１記載の飲み口器を構成する吸い口部１５の一部を蛇腹状１７に形成し、吸い口部に伸縮また回動機能をもたせた飲み口器である。
図３は、本発明の請求項１に記載の飲み口器を構成する吸い口部の一部を蛇腹状にしたときの図である。【００４６】  なお、本発明の請求項１及び請求項２の飲み口器は、請求項３に記載の漏水防止キャップと併用するために雄ねじ１４を設けることなく、単独で使用することも可能である。【００４７】  次に実施例３である請求項４に記載の飲み口器及び漏水防止キャップ付きペットボトルについて説明する。
図４は、飲み口器及び漏水防止キャップ付きペットボトルの形成過程において、請求項３に記載の飲み口器とペットボトルを一体としたときの図である。
この図において、飲み口器の吸い口部は、請求項１の飲み口器を構成する吸い口部を使用している。
１０は飲み口器、１１は飲み口器ねじ部、１４は飲み口器ねじ部１１の外側に設けた雄ねじ、１５は吸い口部、１６は開口部、１８は飲み口器ねじ部の下端を切りか欠き状にペットボトルに溶着した状態を示す。【００４８】  飲み口器１０とペットボトルを一体とする方法は、まずペットボトルに飲料を注入した後、ペットボトルに飲み口器ねじ部１１を螺合し、該飲み口器ねじ部の下端をペットボトルに切り欠き状に溶着１８する。【００４９】  図５は、請求項３に記載の飲み口器及び漏水防止キャップと、ペットボトルを一体としたときの図である。
この図において、飲み口器の吸い口部は、請求項１の飲み口器を構成する吸い口部を使用している。
１０は飲み口器、１１は飲み口器ねじ部、１４は飲み口器ねじ部１１の外側に設けた雄ねじ、１５は吸い口部、１６は開口部、１８は飲み口器ねじ部の下端を切りか欠き状にペットボトルに溶着した状態を示し、２０は漏水防止キャップ、２１は漏水防止キャップの下端の内側に設けられた雌ねじ、２２は開口部密着部、２３は漏水防止キャップの下端を切りか欠き状に飲み口器ねじ部１１に溶着した状態を示す。【００５０】  次に、上記ペットボトルと一体化した飲み口器１０に漏水防止キャップ２０を螺合して開口部密着部２２をもって開口部１６に栓をし、その後に飲み口部のねじ部１１に該漏水防止キャップの下端を切り欠き上に溶着２３する。
【図面の簡単な説明】
【００５１】
【図１】  飲み口器に漏水防止キャップで蓋をしたときの斜視図
【図２】  飲み口器と漏水防止キャップの斜視図
【図３】  吸い口部の一部を蛇腹状としたときの飲み口器の斜視図
【図４】  飲み口器とペットボトルを一体に形成したときの斜視図
【図５】  飲み口器、漏水防止キャップ、ペットボトルを一体的形成したときの斜視図
【符号の説明】
【００５２】    １０  飲み口器
１１  飲み口器ねじ部
１２  飲み口器ねじ部の上壁
１３  飲み口器ねじ部の内側に設けた雌ねじ
１４  飲み口器ねじ部の外側に設けた雄ねじ
１５  吸い口部
１６  吸い口部の先端に設けられた開口部
１７  吸い口部の一部を蛇腹とした状態
１８  飲み口器ねじ部の下端を切りか欠き状にペットボトルに溶着した状態
２０  漏水防止キャップ
２１  漏水防止キャップの下端の内側に設けられた雌ねじ
２２  漏水防止キャップの内側に設けられた開口部密着部である。
２３  漏水防止キャップの下端を切りか欠き状に飲み口器ねじ部に溶着した状態
【図１】
2009137647.tif 000003
【図２】
2009137647.tif 000004
【図３】
2009137647.tif 000005
【図４】
2009137647.tif 000006
【図５】
2009137647.tif 000007